(57)【要約】【課題】専用のキーを設けることなく画像方向を簡便に設定する。【解決手段】撮影装置は、画像を撮像して画像データを出力する撮像部と、撮像部から出力される画像データを表示する表示部と、撮像部にて画像が撮像される際に操作可能な位置に配設され、表示部における表示又は入力を制御するポインティングデバイスと、撮像部が画像データを出力する際のポインティングデバイスの操作結果を検出する検出部と、撮像部から出力される画像データを、検出部で検出された操作結果に基づいた方向に回転させてメモリに記録する記録部と、を備える。【選択図】図１
2008060929.tif 000002
【特許請求の範囲】
【請求項１】
画像を撮像して画像データを出力する撮像部と、
前記撮像部から出力される前記画像データを表示する表示部と、
前記撮像部にて画像が撮像される際に操作可能な位置に配設され、前記表示部における表示又は入力を制御するポインティングデバイスと、
前記撮像部が前記画像データを出力する際の前記ポインティングデバイスの操作結果を検出する検出部と、
前記撮像部から出力される前記画像データを、前記検出部で検出された前記操作結果に基づいた方向に回転させてメモリに記録する記録部と、
を備えることを特徴とする撮影装置。
【請求項２】
請求項１に記載の撮影装置であって、
前記検出部は、前記ポインティングデバイスに接触する指の移動方向を検出し、
前記記録部は、前記撮像部から出力される前記画像データを、前記検出部で検出された前記移動方向に基づいた方向に回転させて前記メモリに記録すること、
を特徴とする撮影装置。
【請求項３】
請求項１に記載の撮影装置であって、
前記検出部は、前記ポインティングデバイスに接触する指の接触方向を検出し、
前記記録部は、前記撮像部から出力される前記画像データを、前記検出部で検出された前記接触方向に基づいた方向に回転させて前記メモリに記録すること、
を特徴とする撮影装置。
【請求項４】
請求項１に記載の撮影装置であって、
前記検出部は、前記ポインティングデバイスに対する指の接触回数を検出し、
前記記録部は、前記撮像部から出力される前記画像データを、前記検出部で検出された前記接触回数に基づいた方向に回転させて前記メモリに記録すること、
を特徴とする撮影装置。
【請求項５】
請求項１〜４の何れか一項に記載の撮影装置であって、
前記表示部を有する第１筐体と、
前記撮像部から出力される前記画像データの記録を指示する第１操作部を有する第２筐体と、
前記第１及び第２筐体を接続する接続部と、
前記第１又は第２筐体に配設され、前記撮像部から出力される前記画像データの記録を指示する第２操作部と、
を備え、
前記表示部を視認可能であり、前記第１及び第２操作部を操作可能な第１形態と、前記表示部を視認可能であり、前記第１操作部を操作不可能及び前記第２操作部を操作可能な第２形態とに形態変更可能であり、
前記撮像部は、前記第１及び第２形態において撮像可能な位置に配設され、
前記ポインティングデバイスは、前記第１及び第２形態において操作可能な位置に配設され、
前記記録部は、前記第１又は第２操作部の操作に応じて、前記撮像部から出力される前記画像データを、前記検出部で検出された前記操作結果に基づいた方向に回転させて前記メモリに記録すること、
を特徴とする撮影装置。
【請求項６】
請求項１〜５の何れか一項に記載の撮影装置であって、
前記ポインティングデバイスは、スウィープ型指紋認証デバイスであること、
を特徴とする撮影装置。
【請求項７】
請求項１〜６の何れか一項に記載の撮影装置であって、
前記記録部は、前記撮像部から出力される前記画像データを、前記検出部で検出された前記操作結果に基づいた方向に回転させ、所定位置に日付情報を付与して前記メモリに記録すること、
を特徴とする撮影装置。
【請求項８】
画像を撮像して画像データを出力する撮像部と、前記撮像部から出力される前記画像データを表示する表示部と、前記撮像部にて画像が撮像される際に操作可能な位置に配設され、前記表示部における表示又は入力を制御するポインティングデバイスと、を有するコンピュータに、
前記撮像部が前記画像データを出力する際の前記ポインティングデバイスの操作結果を検出する機能と、
前記撮像部から出力される前記画像データを、前記検出された前記操作結果に基づいた方向に回転させてメモリに記録する機能と、
を実現させるためのプログラム。
【発明の詳細な説明】
【技術分野】
【０００１】
本発明は、撮影装置及びプログラムに関する。
【背景技術】
【０００２】
近年、携帯電話装置には、通話機能に加えて、カメラ撮影機能やメール機能、インターネット接続機能等、様々な機能が搭載されている。そして、これら様々な機能に応じた使いやすい形態に変化させることが可能な携帯電話装置が一般的なものとなってきている。例えば、特許文献１には、表示部を有する表示部筐体と、操作部を有する操作部筐体とが回転型二軸ヒンジにより結合された携帯電話装置が開示されている。このような携帯電話装置では、表示部を視認可能な形態として、表示部筐体を操作部筐体に対して開いた形態（「オープンスタイル」と称する。）と、表示部筐体を操作部筐体に対して閉じた形態（「ビュースタイル」と称する。）の二形態をとることができる。
【０００３】
このように二形態に変化させることが可能な携帯電話装置でカメラ撮影機能を用いる場合、形態に応じた操作によって画像の撮影が行われる。オープンスタイルの場合、例えば、操作部に設けられた決定キーまたは操作部筐体の側面に設けられたシャッターキーを押下することにより、画像の撮影が行われる。そして、例えば、決定キーが押下された場合は、撮像された画像を縦長方向の画像として記録し、シャッターキーが押下された場合は、撮像された画像を横長方向の画像として記録することができる。一方、ビュースタイルの場合は操作部を操作することができないため、画像の撮影はシャッターキーの押下のみによることとなる。
【特許文献１】特開２００５−２８６６１０号公報
【発明の開示】
【発明が解決しようとする課題】
【０００４】
このように、ビュースタイルの場合は操作部を操作することができず、シャッターキーによる撮影しかできないため、使用者が実際に撮影している方向にかかわらず、所定方向の画像として記録されることとなる。また、ビュースタイルで撮像された画像を縦長方向の画像とするか横長方向の画像とするかを設定画面等で設定することが可能な場合もあるが、このような設定は、撮影の前に、オープンスタイルに変更した上で、操作部を操作して行う必要がある。そのため、ビュースタイルでは、撮影の都度、画像方向を簡便に設定することができない。また、ビュースタイルで画像方向を選択可能とするために、例えば、シャッター機能を備えるキーを、画像方向に応じて複数設けることも考えられるが、オートフォーカス機能等を備えるキーは高価であり、携帯電話装置のコストが嵩むこととなる。
【０００５】
本発明は上記課題を鑑みてなされたものであり、専用のキーを設けることなく画像方向を簡便に設定することが可能な撮影装置及びプログラムを提供することを目的とする。
【課題を解決するための手段】
【０００６】
上記目的を達成するため、本発明の撮影装置は、画像を撮像して画像データを出力する撮像部と、前記撮像部から出力される前記画像データを表示する表示部と、前記撮像部にて画像が撮像される際に操作可能な位置に配設され、前記表示部における表示又は入力を制御するポインティングデバイスと、前記撮像部が前記画像データを出力する際の前記ポインティングデバイスの操作結果を検出する検出部と、前記撮像部から出力される前記画像データを、前記検出部で検出された前記操作結果に基づいた方向に回転させてメモリに記録する記録部と、を備える。
【０００７】
そして、前記検出部は、前記ポインティングデバイスに接触する指の移動方向を検出し、前記記録部は、前記撮像部から出力される前記画像データを、前記検出部で検出された前記移動方向に基づいた方向に回転させて前記メモリに記録することとすることができる。
【０００８】
また、前記検出部は、前記ポインティングデバイスに接触する指の接触方向を検出し、前記記録部は、前記撮像部から出力される前記画像データを、前記検出部で検出された前記接触方向に基づいた方向に回転させて前記メモリに記録することとすることもできる。
【０００９】
また、前記検出部は、前記ポインティングデバイスに対する指の接触回数を検出し、前記記録部は、前記撮像部から出力される前記画像データを、前記検出部で検出された前記接触回数に基づいた方向に回転させて前記メモリに記録することとすることもできる。
【００１０】
さらに、前記撮影装置は、前記表示部を有する第１筐体と、前記撮像部から出力される前記画像データの記録を指示する第１操作部を有する第２筐体と、前記第１及び第２筐体を接続する接続部と、前記第１又は第２筐体に配設され、前記撮像部から出力される前記画像データの記録を指示する第２操作部と、を備え、前記表示部を視認可能であり、前記第１及び第２操作部を操作可能な第１形態と、前記表示部を視認可能であり、前記第１操作部を操作不可能及び前記第２操作部を操作可能な第２形態とに形態変更可能であり、前記撮像部は、前記第１及び第２形態において撮像可能な位置に配設され、前記ポインティングデバイスは、前記第１及び第２形態において操作可能な位置に配設され、前記記録部は、前記第１又は第２操作部の操作に応じて、前記撮像部から出力される前記画像データを、前記検出部で検出された前記操作結果に基づいた方向に回転させてメモリに記録することとすることができる。
【００１１】
また、前記ポインティングデバイスは、スウィープ型指紋認証デバイスであることとすることができる。
【００１２】
また、前記記録部は、前記撮像部から出力される前記画像データを、前記検出部で検出された前記操作結果に基づいた方向に回転させ、所定位置に日付情報を付与して前記メモリに記録することとすることもできる。
【００１３】
また、本発明のプログラムは、画像を撮像して画像データを出力する撮像部と、前記撮像部から出力される前記画像データを表示する表示部と、前記撮像部にて画像が撮像される際に操作可能な位置に配設され、前記表示部における表示又は入力を制御するポインティングデバイスと、を有するコンピュータに、前記撮像部が前記画像データを出力する際の前記ポインティングデバイスの操作結果を検出する機能と、前記撮像部から出力される前記画像データを、前記検出された前記操作結果に基づいた方向に回転させてメモリに記録する機能と、を実現させるためのものとする。
【発明の効果】
【００１４】
本発明によれば、専用のキーを設けることなく画像方向を簡便に設定することができる。
【発明を実施するための最良の形態】
【００１５】
まず、第１実施形態について説明する。
（１）装置構成
図１は、第１実施形態である携帯電話装置（撮影装置）の構成例を示すブロック図である。携帯電話装置１０は、制御部２０、記憶部２５、無線通信部３０、アンテナ３１、操作部３５、表示部４０、音声処理部４５、マイク４６、スピーカ４７、カメラ部５０、指紋入力部５５、及びスタイル検出部６０を含んで構成されている。
【００１６】
制御部２０は、携帯電話装置１０を統括制御するものであり、ＣＰＵ（Central Processing Unit）等により構成されている。そして、制御部２０が、記憶部２５に格納されたプログラムを実行することにより様々な機能が実現される。例えば、制御部２０において実現される機能部として、指紋検出部（方向検出部）７０及び記録部７５がある。指紋検出部７０は、指紋入力部５５から出力される情報に基づいて、指紋認証用の指紋画像データを生成する。また、指紋検出部７０は、ポインティングデバイスとしても機能する指紋入力部５５における指の移動方向を検出する。記録部７５は、カメラ部５０において撮像された画像データを、指紋検出部７０での検出結果に基づいた方向に回転させて記憶部２５に記録する。
【００１７】
記憶部２５は、携帯電話装置１０で実行されるプログラムや各種データを格納する記憶領域であり、例えば、不揮発性の記憶媒体であるフラッシュメモリ等により実現される。記憶部２５には、撮影画像格納領域８０、照合指紋情報格納領域８１、入力指紋情報格納領域８２、設定情報格納領域８３、プログラム格納領域８４、及び一時記憶格納領域８５を含む様々な格納領域が設けられている。撮影画像格納領域８０には、操作部３５に設けられたシャッターキーの押下等により、カメラ部５０で撮像された画像データが記録される。照合指紋情報格納領域８１には、携帯電話装置１０の利用者の指の指紋画像データが予め格納される。照合指紋情報格納領域８１に格納された指紋画像データは、利用者の指紋認証の他、指紋検出部７０における撮影方向検出にも用いることができる。入力指紋情報格納領域８２には、指紋入力部５５で検出された指紋画像データが格納される。設定情報格納領域８３には、携帯電話装置１０における各種の設定情報が格納される。設定情報格納領域８３に格納される設定情報としては、例えば、指紋検出部７０によって検出された撮影方向に関する情報等がある。プログラム格納領域８４には、制御部２０により実行されるプログラムが格納される。一時記憶格納領域８５には、制御部２０の処理により生成される一時的なデータ等が格納される。なお、記憶部２５は、全てを１つのフラッシュメモリ等により実現する必要はなく、複数のメモリを用いて実現することができる。例えば、撮影画像格納領域８０には、メモリカード等の着脱自在な可搬型メモリを用いることも可能である。また、一時記憶格納領域８５には、ＳＤＲＡＭ（Synchronous Dynamic Random Access Memory）等の揮発性のメモリを用いることも可能である。
【００１８】
無線通信部３０は、アンテナ３１を介して受信する無線信号を受信ベースバンド信号に復調して出力する。出力された受信ベースバンド信号は、音声処理部４５を介してスピーカ４７から音声として出力される。また、無線通信部３０は、マイク４６から入力され、音声処理部４５から出力される音声データを取り込み、送信ベースバンド信号に符号化したうえでアンテナ３１を介して送出する。また、無線通信部３０は、電子メール等の携帯パケット通信網を介したデータの送受信も行う。
【００１９】
操作部３５は、ダイヤル入力や文字入力、各種コマンド入力を行うものである。例えば、携帯電話装置１０をカメラとして用いる場合であれば、操作部３５においてシャッター機能を割り当てられたキーを押下することにより、カメラ部５０で撮像された画像データが撮影画像格納領域８０に格納される。
【００２０】
表示部４０は、例えばＬＣＤ（Liquid Crystal Display）等のディスプレイを含んで構成され、操作部３５での操作結果や無線通信部３０を介して受信されたデータ、カメラ部５０により撮像された画像データ等が表示される。
【００２１】
音声処理部４５は、マイク４６から出力されるアナログの音声信号に対してノイズ除去処理や増幅処理を施した上でデジタル信号に変換し、制御部２０に出力する。また、音声処理部４５は、制御部２０から出力されるデジタルの音声信号をアナログ信号に変換し、ノイズ除去処理や増幅処理を施した上でスピーカ４７に出力する。
【００２２】
カメラ部５０は、撮影レンズや撮像素子、駆動回路、測距センサ、光量センサ、アナログ処理回路、信号処理回路、圧縮伸張回路等を含んで構成される。カメラ部５０は、制御部２０からの指示に応じて光学ズームの調整やフォーカス制御、シャッター駆動制御、露出制御等を行い、撮像素子で撮像される画像データを制御部２０に出力する。
【００２３】
指紋入力部５５は、例えば、半導体方式によって指紋を読み取るセンサであり、接触する指の指紋の凹凸に応じて変化する電界強度を測定し、測定結果をセンシングデータとして制御部２０に出力する。制御部２０における指紋検出部７０は、指紋入力部５５から出力されるセンシングデータに基づいて指紋画像データを生成して入力指紋情報格納領域８２に格納するとともに、照合指紋情報格納領域８１に格納された指紋画像データと比較することにより、利用者の認証処理を実行する。例えば、指紋検出部７０は、照合指紋情報格納領域８１及び入力指紋情報格納領域８２に格納された指紋画像データの中から指紋の特徴部分となる基準点のデータを抽出し、抽出された基準点のデータの一致／不一致を判定し、一致する割合が所定の値を超えている場合は利用者を認証する。なお、利用者の認証処理の手法はこれに限られず、指紋画像データをパターン・マッチングにより直接比較する手法を用いることもできる。また、指紋模様パターンをスライスした断面を波形とみなし、波形のスペクトルの系列を特徴情報として捉え、波形スペクトル系列の最大相関を求めることにより照合を行う周波数解析法を用いて認証処理を行うこともできる。
【００２４】
また、認証完了後においては、指紋入力部５５はポインティングデバイスとしても機能する。例えば、電子メールの閲覧や編集、インターネットサイトの閲覧等が行われている場合、指紋検出部７０は、指紋入力部５５から出力されるセンシングデータに基づいてスクロールやカーソルの移動方向及び移動量を判定し、表示部４０に表示される情報のスクロール制御やカーソル制御を行う。指紋入力部５５から出力されるセンシングデータに基づいた移動方向及び移動量の判定は、例えば、最新のセンシングデータと、そのセンシングデータより前の時間に得られたセンシングデータとの間において、センシングデータに含まれる基準点の移動方向及び移動量を測定することにより行うことができる。
【００２５】
スタイル検出部６０は、携帯電話装置１０の開閉状態等に応じた形態を検出するものである。携帯電話装置１０は表示部４０を有する表示部筐体（第１筐体）と、操作部３５を有する操作部筐体（第２筐体）とが回転型二軸ヒンジにより結合されている。そして、携帯電話装置１０は、表示部４０を視認不可能で表示部筐体を操作部筐体に重ね合わせた形態（「クローズスタイル」と称する。）、表示部４０を視認可能で表示部筐体を操作部筐体に対して開いた形態（「オープンスタイル」と称する。）、及び表示部４０を視認可能で表示部筐体を操作部筐体に対して閉じた形態（「ビュースタイル」と称する。）をとることができる。スタイル検出部６０は、例えば、回転型二軸ヒンジの状態を検出可能な磁気センサやマイクロスイッチにより実現することができる。そして、制御部２０は、スタイル検出部６０からの検出信号に基づいて、携帯電話装置１０がクローズスタイル、オープンスタイル、及びビュースタイルの何れの形態（スタイル）となっているかを判定することができる。
【００２６】
図２は、携帯電話装置１０の外観を示す図である。図２（ａ），（ｂ）は、携帯電話装置１０の形態がクローズスタイルの場合の外観を示している。表示部筐体９０と操作部筐体９１とは、回転型二軸ヒンジ（接続部）９２を介して接続されている。そして、クローズスタイルでは、表示部筐体９０が操作部筐体９１に重ね合わせられており、表示部４０は視認不可能となっている。また、操作部筐体９１の外側の面には、カメラ部５０の撮影レンズ９３が配設されている。さらに、操作部筐体９１の側面には、カメラのシャッターとして機能するシャッターキー９４（第２操作部）が配設されている。図２（ｃ）は、携帯電話装置１０の形態がオープンスタイルの場合の外観を示している。オープンスタイルでは、表示部４０を視認可能であり、操作部筐体９１の内側の面に配設されたダイヤルキー９５や決定キー９６（第１操作部）等を操作可能となっている。また、オープンスタイルでは、表示部４０に隣接して配設された指紋入力部５５を操作可能となっている。なお、本実施形態の指紋入力部５５は、指を移動させて指紋を読み取るスウィープ型センサとなっており、ポインティングデバイスとして機能する際には、縦方向（Ａ方向）及び横方向（Ｂ方向）の移動量を検出することができる。また、オープンスタイルでは、操作部筐体９１の側面に設けられているシャッターキー９４も操作可能である。そして、オープンスタイルでカメラ撮影を行う場合、決定キー９６又はシャッターキー９４を押下することにより、カメラ部５０から出力される画像データを記録することができる。オープンスタイルで決定キー９６がシャッターとして用いられた場合、制御部２０は、撮影方向が縦方向であると判定し、画像データを縦長画像として記録する。また、オープンスタイルでシャッターキー９４がシャッターして用いられた場合、制御部２０は、撮影方向が横方向であると判定し、画像データを横長画像として記録する。図２（ｄ）は、携帯電話装置１０の形態がビュースタイルの場合の外観を示している。ビュースタイルでは、表示部４０は視認可能であるが、操作部筐体９１の内側の面に配設されたダイヤルキー９５や決定キー９６等は操作不可能な状態となっている。また、ビュースタイルでは、表示部４０に隣接して配設された指紋入力部５５、及び、操作部筐体９１の側面に配設されたシャッターキー９４を操作可能となっている。そして、ビュースタイルでカメラ撮影を行う場合、シャッターキー９４を押下することにより、カメラ部５０から出力される画像データを記録することができる。なお、記録される画像データを縦長画像とするか横長画像とするかは、ビュースタイルでのカメラ撮影時に操作可能な指紋入力部５５の操作結果に基づいて決定される。
【００２７】
図３は、設定情報格納領域８３に格納される情報の一例を示す図である。設定情報格納領域８３には、動作モード、スタイル情報、撮影方向設定情報、日付記録設定情報等が格納される。動作モードは、携帯電話装置１０がどのような動作状態にあるかを示すものであり、例えば、電源投入後の「起動モード」、認証完了後の「処理待ちモード」、音声通話処理を実行中の「通話モード」、パケット通信処理を実行中の「データ通信モード」、カメラ撮影処理を実行中の「撮影モード」等がある。スタイル情報は、携帯電話装置１０の形態が、クローズスタイル、オープンスタイル、ビュースタイルの何れであるかを示すものである。撮影方向設定情報は、カメラ撮影の撮影方向を設定するものであり、この情報に基づいて、画像データが縦長画像あるいは横長画像として記録されることとなる。日付記録設定情報は、撮影画像に日付情報を入れるかどうかを示すものであり、カメラ撮影の前に予め設定登録される。
【００２８】
（２）処理説明
図４は、携帯電話装置１０における撮影処理の一例を示すフローチャートである。この撮影処理は、携帯電話装置１０の動作モードが「撮影モード」に変更された場合に実行される。まず、撮影モードになるとカメラスルーの状態となる（Ｓ４０１）。カメラスルーの状態においては、カメラ部５０は、所定の位置に撮影レンズを移動させ、移動させたレンズ位置においてレンズを介して入力される画像を撮像素子で撮像して画像データを生成し、生成される画像データを制御部２０に出力する。そして、制御部２０に出力された画像データは、リアルタイムに表示部４０に表示される。続いて、指紋検出部７０により、指紋検出処理が実行される（Ｓ４０２）。この指紋検出処理では、ポインティングデバイスとして機能する指紋入力部５５の操作結果が検出され、検出結果に基づいて撮影方向の設定が行われる。撮影方向の設定が行われると、制御部２０は、設定情報格納領域８３に格納されているスタイル情報を参照し、携帯電話装置１０のスタイルを検出する（Ｓ４０３）。そして、制御部２０は、操作部３５からのキー入力を検出する状態となり（Ｓ４０４）、キー入力が行われない間は（Ｓ４０５：ＮＯ）、前述の処理（Ｓ４０１〜Ｓ４０４）が繰り返し実行されることとなる。
【００２９】
制御部２０は、操作部３５における何れかのキー入力を検出すると（Ｓ４０５：ＹＥＳ）、携帯電話装置１０のスタイルがオープンスタイルであるかどうかを判定する（Ｓ４０６）。そして、オープンスタイルの場合（Ｓ４０６：ＹＥＳ）は、オープンスタイル撮影処理が実行され（Ｓ４０７）、オープンスタイルでない場合、すなわちビュースタイル（Ｓ４０６：ＮＯ）の場合は、ビュースタイル撮影処理が実行される（Ｓ４０８）。オープンスタイル撮影処理（Ｓ４０７）またはビュースタイル撮影処理（Ｓ４０８）の実行後、制御部２０は、撮影処理を終了するかどうかを、操作部３５からの入力等に基づいて判定する（Ｓ４０９）。撮影終了でない間は（Ｓ４０９：ＮＯ）、前述の処理（Ｓ４０１〜Ｓ４０８）が繰り返し実行され、撮影終了になると（Ｓ４０９：ＹＥＳ）、制御部２０は撮影処理を終了し、動作モードを例えば「処理待ちモード」に移行させる。
【００３０】
図５は、指紋検出処理（Ｓ４０２）の一例を示すフローチャートである。まず、指紋検出部７０は、指紋照合を行うかどうかを判定する（Ｓ５０１）。具体的には、指紋検出部７０は、設定情報格納領域８３に格納されている動作モードを参照し、指紋認証を行う「起動モード」であるかどうかを判定する。動作モードが起動モードの場合（Ｓ５０１：ＹＥＳ）、指紋検出部７０は、指紋入力部５５から出力されるセンシングデータから指紋画像データを生成し、入力指紋情報格納領域８２に格納する（Ｓ５０２）。そして、指紋検出部７０は、照合指紋情報格納領域８１にあらかじめ格納されている指紋画像データと、入力指紋情報格納領域８２に格納された指紋画像データとの照合を行い（Ｓ５０３）、照合用の指紋画像データの登録者と指紋入力部５５からの指紋入力者とが同一であるかどうかを判定することにより、認証を行う（Ｓ５０４）。
【００３１】
動作モードが起動モードでない場合、すなわち撮影モードの場合（Ｓ５０１：ＮＯ）、指紋検出部７０は、指紋入力部５５から出力されるセンシングデータを取得し（Ｓ５０５）、センシングデータの変化に基づいて指紋入力部５５のセンサ上を移動する指の移動方向を検出する（Ｓ５０６）。移動方向の検出は、例えば、縦方向の移動量と横方向の移動量とを比較し、移動量の多い方向に移動しているものと判定することにより行うことができる。そして、指紋検出部７０は、指の移動方向が縦方向であるかどうかを判定し（Ｓ５０７）、指の移動方向が縦方向である場合は（Ｓ５０７：ＹＥＳ）、撮影方向を縦方向（縦長撮影）に設定し（Ｓ５０８）、指の移動方向が横方向である場合は（Ｓ５０７：ＮＯ）、撮影方向を横方向（横長撮影）に設定する（Ｓ５０９）。このようにして設定された撮影方向は、設定情報格納領域８３に撮影方向設定情報として格納される。
【００３２】
図６は、オープンスタイル撮影処理（Ｓ４０７）の一例を示すフローチャートである。記録部７５は、決定キー９６の押下による縦長撮影であるかどうかを判定し（Ｓ６０１）、縦長撮影である場合は（Ｓ６０１：ＹＥＳ）、カメラ部５０から出力される画像データを取得する（Ｓ６０２）。また、押下されたキーが決定キー９６ではない場合（Ｓ６０１：ＮＯ）、記録部７５は、シャッターキー９４の押下による横長撮影であるかどうかを判定する（Ｓ６０３）。押下されたキーがシャッターキー９４でもない場合は（Ｓ６０３：ＮＯ）、記録部７５は画像データの記録を行わずにオープンスタイル撮影処理を終了する。シャッターキー９４の押下による横長撮影である場合は（Ｓ６０３：ＹＥＳ）、記録部７５は、カメラ部５０から出力される画像データを取得し（Ｓ６０４）、取得した画像データを例えば反時計回りに９０度回転させて横長画像とする（Ｓ６０５）。
【００３３】
縦長画像の取得（Ｓ６０２）または横長画像の取得（Ｓ６０５）が行われた後、記録部７５は、設定情報格納領域８３に格納された日付記録設定情報を参照し、撮影画像に日付情報を付与するかどうかを判定する（Ｓ６０６）。日付情報を入れる場合（Ｓ６０６：ＹＥＳ）、記録部７５は、縦長画像または横長画像の所定位置（例えば右下隅）に日付情報を入れ（Ｓ６０７）、日付情報が入った画像データを撮影画像格納領域８０に保存する（Ｓ６０８）。また、日付情報を入れない場合（Ｓ６０６：ＮＯ）、記録部７５は、日付情報を入れずに、縦長または横長の画像データを撮影画像格納領域８０に保存する（Ｓ６０８）。
【００３４】
図７は、ビュースタイル撮影処理（Ｓ４０８）の一例を示すフローチャートである。記録部７５は、シャッターキー９４の押下により撮影が指示されたかどうかを判定する（Ｓ７０１）。押下されたキーがシャッターキー９４でない場合は（Ｓ７０１：ＮＯ）、記録部７５は画像データの記録を行わずにビュースタイル撮影処理を終了する。シャッターキー９４の押下による撮影の指示である場合は（Ｓ７０１：ＹＥＳ）、記録部７５は、カメラ部５０から出力される画像データを取得する（Ｓ７０２）。そして、記録部７５は、設定情報格納領域８３に格納されている撮影方向設定情報を参照し、横長撮影であるかどうかを判定し（Ｓ７０３）、横長撮影である場合は（Ｓ７０３：ＹＥＳ）、取得した画像データを例えば反時計回りに９０度回転させて横長画像とする（Ｓ７０４）。
【００３５】
縦長画像の生成（Ｓ７０２）または横長画像の生成（Ｓ７０４）が行われた後、記録部７５は、設定情報格納領域８３に格納された日付記録設定情報を参照し、撮影画像に日付情報を付与するかどうかを判定する（Ｓ７０５）。日付情報を入れる場合（Ｓ７０５：ＹＥＳ）、記録部７５は、縦長画像または横長画像の所定位置（例えば右下隅）に日付情報を入れ（Ｓ７０６）、日付情報が入った画像データを撮影画像格納領域８０に保存する（Ｓ７０７）。また、日付情報を入れない場合（Ｓ７０５：ＮＯ）、記録部７５は、日付情報を入れずに、縦長または横長の画像データを撮影画像格納領域８０に保存する（Ｓ７０７）。
【００３６】
図８は、撮影画像の一例を示す図である。図８（ａ）は、縦長画像として撮影され（Ｓ６０２，Ｓ７０２）、縦長画像の右下隅に日付情報が付与された撮影画像の一例である。また、図８（ｂ）は、図８（ａ）の画像を反時計回り方向に９０度回転させて横長画像に変換され（Ｓ６０５，Ｓ７０４）、横長画像の右下隅に日付情報が付与された撮影画像の一例である。このように、携帯電話装置１０では、撮影される画像を図８（ａ）に例示する縦長画像、または、図８（ｂ）に例示する横長画像の何れかとして撮影画像格納領域８０に記録することができる。そして、ビュースタイルの場合にあっては、指紋入力部５５における指の移動方向に基づいて、縦長画像とするか横長画像とするかを決定することができる。
【００３７】
以上、第１実施形態である携帯電話装置１０について説明した。前述したように、携帯電話装置１０では、ポインティングデバイスとして機能する指紋入力部５５が、カメラ撮影時に操作可能な位置に配設されており、指紋入力部５５の操作結果に基づいた方向に画像データを回転させて撮影画像格納領域８０に格納することができる。したがって、撮影画像の方向を制御するために専用のキーを設けることなく、ポインティングデバイスによる簡便な操作により、撮影画像の方向を決定することが可能となる。
【００３８】
そして、指紋入力部５５の操作結果に基づいた撮影画像の方向制御は、指紋入力部５５に接触する指の移動方向に基づいて行うことができる。例えば、携帯電話装置１０では、指紋入力部５５のセンサ上で指を縦方向（Ａ方向）又は横方向（Ｂ方向）に移動させることにより、撮影画像の方向を決定することができる。すなわち、携帯電話装置１０では、撮影画像の方向が指を移動させた方向に決定されるため、利用者の感覚的にもわかりやすいものとなる。
【００３９】
また、携帯電話装置１０では、ビュースタイルの場合は決定キー９６を押下することができないが、指紋入力部５５の操作結果に基づいて撮影画像の方向を制御することができる。したがって、ビュースタイルにおいて撮影画像の方向を制御可能とする専用のキーを設けることなく、ポインティングデバイスによる簡便な操作により、撮影画像の方向を決定することが可能となる。なお、携帯電話装置１０では、オープンスタイルの場合には決定キー９６またはシャッターキー９４の何れのキーが押下されるかにより撮影画像の方向を決定することとしたが、オープンスタイルの場合においても、指紋入力部５５の操作結果に基づいて撮影画像の方向を決定することとしてもよい。また、本実施形態の携帯電話装置１０では、指紋入力部５５が表示部４０に隣接して配設されていることとしたが、指紋入力部の配設位置はこれに限られず、少なくともビュースタイルにおいて操作可能な位置であればよい。例えば、表示部筐体９０の側面や操作部筐体９１の裏面、回転型二軸ヒンジ９２上等であってもよい。また、本実施形態の携帯電話装置１０は、表示部筐体９０と操作部筐体９１とが回転型二軸ヒンジ９２により接続されたものとしたが、携帯電話装置の形態はこれに限られるものではない。例えば、表示部筐体が操作部筐体上を上下にスライド動作するような携帯電話装置においても、操作部筐体を表示部筐体が覆っている状態でカメラ撮影を行う場合に、ポインティングデバイスの操作結果に基づいて撮影画像の方向を制御可能とすることにより、携帯電話装置１０と同様の効果を得ることができる。
【００４０】
また、携帯電話装置１０では、ポインティングデバイスとして機能する指紋入力部５５に、スウィープ型指紋認証デバイスを用いている。スウィープ型指紋認証デバイスは、認証機能を実現とするとともに非常に小型であり、セキュリティ強化及び小型化の要求される携帯電話装置において普及しはじめている。携帯電話装置１０では、このようなスウィープ型指紋認証デバイスの操作結果に基づいて撮影画像の方向を制御可能とすることにより、撮影画像の方向制御を行うための専用キーを設けることなく、撮影画像の方向を簡便に決定可能としている。
【００４１】
また、携帯電話装置１０では、指紋入力部５５の操作結果に基づいた方向に画像データを回転させた後に、所定位置に日付情報を付与している。そのため、図８に例示したように、撮影画像の方向に応じた適切な位置に日付が表示されることとなる。
【００４２】
また、携帯電話装置１０における、撮影画像の方向を制御する機能は、プログラムを実行することにより実現することができる。したがって、プログラムを実行可能な様々な携帯電話装置において、本実施形態に示した携帯電話装置１０と同様の効果を得ることができる。
【００４３】
次に、第２実施形態について説明する。
（１）装置構成
図９は、第２実施形態である携帯情報端末（撮影装置）の構成例を示すブロック図である。携帯情報端末１１０は、制御部１２０、記憶部１２５、操作部１３５、表示部１４０、カメラ部１５０、及び指紋入力部１５５を含んで構成されている。
【００４４】
制御部１２０は、携帯情報端末１１０を統括制御するものであり、ＣＰＵ（Central Processing Unit）等により構成されている。そして、制御部１２０が、記憶部１２５に格納されたプログラムを実行することにより様々な機能が実現される。例えば、制御部１２０において実現される機能部として、指紋検出部（方向検出部）１７０及び記録部１７５がある。指紋検出部１７０は、指紋入力部１５５から出力される情報に基づいて、指紋認証用の指紋画像データを生成する。そして、カメラ撮影時においては、指紋検出部１７０は、指紋入力部１５５における指の接触を検出し、指の接触回数に基づいて撮影方向を設定する。記録部１７５は、カメラ部１５０において撮像された画像データを、指紋検出部１７０により設定された撮影方向の画像として記憶部１２５に記録する。なお、各部１２０，１２５，１３５，１４０，１５０，１５５の構成及び機能は、第１実施形態の携帯電話装置１０における各部２０，２５，３５，４０，５０，５５と同等である。また、記憶部１２５には、撮影画像格納領域１８０、照合指紋情報格納領域１８１、入力指紋情報格納領域１８２、設定情報格納領域１８３、プログラム格納領域１８４、及び一時記憶格納領域１８５を含む様々な格納領域が設けられている。そして、これらの領域１８０〜１８５に格納される情報は、第１実施形態の記憶部２５に設けられた領域８０〜８５に格納される情報と同等である。
【００４５】
図１０は、携帯情報端末１１０の外観を示す図である。図１０（ａ）に示すように、携帯情報端末１１０の表面側には、表示部１４０が視認可能に配設されるとともに、ポインティングデバイスとしても機能する指紋入力部１５５が配設されている。そして、携帯情報端末１１０の側面には、シャッターとして機能するシャッターキー１９４が配設されている。また、図１０（ｂ）に示すように、携帯情報端末１１０の背面側には、カメラ部１５０の撮影レンズ１９３が配設されている。
【００４６】
（２）処理説明
図１１は、携帯情報端末１１０における撮影処理の一例を示すフローチャートである。この撮影処理は、携帯情報端末１１０の動作モードが「撮影モード」に変更された場合に実行される。まず、撮影モードになるとカメラスルーの状態となる（Ｓ１１０１）。カメラスルーの状態においては、カメラ部１５０は、所定の位置に撮影レンズを移動させ、移動させたレンズ位置においてレンズを介して入力される画像を撮像素子で撮像して画像データを生成し、生成される画像データを制御部１２０に出力する。そして、制御部１２０に出力された画像データは、リアルタイムに表示部１４０に表示される。続いて、指紋検出部１７０により、指接触検出処理が実行される（Ｓ１１０２）。この指接触検出処理では、ポインティングデバイスとして機能する指紋入力部１５５に対する指の接触が検出され、指紋入力部１５５に指が接触する度に、縦長／横長撮影の切り替えが行われる。撮影方向の設定が行われると、制御部１２０は、操作部１３５からのキー入力を検出する状態となり（Ｓ１１０３）、キー入力が行われない間は（Ｓ１１０４：ＮＯ）、前述の処理（Ｓ１１０１〜Ｓ１１０３）が繰り返し実行されることとなる。
【００４７】
制御部１２０は、操作部１３５における何れかのキー入力を検出すると（Ｓ１１０４：ＹＥＳ）、カメラ撮影処理を実行する（Ｓ１１０５）。そして、カメラ撮影処理（Ｓ１１０５）の実行後、制御部１２０は、撮影処理を終了するかどうかを、操作部１３５からの入力等に基づいて判定する（Ｓ１１０６）。撮影終了でない間は（Ｓ１１０６：ＮＯ）、前述の処理（Ｓ１１０１〜Ｓ１１０５）が繰り返し実行され、撮影終了になると（Ｓ１１０６：ＹＥＳ）、制御部１２０は撮影処理を終了し、動作モードを例えば「処理待ちモード」に移行させる。
【００４８】
図１２は、指接触検出処理（Ｓ１１０２）の一例を示すフローチャートである。まず、指紋検出部１７０は、設定情報格納領域１８３に格納されている動作モードを参照し、「撮影モード」であるかどうかを判定する（Ｓ１２０１）。動作モードが撮影モードでない場合（Ｓ１２０１：ＮＯ）、指紋検出部１７０は指接触検出処理を終了する。
【００４９】
動作モードが撮影モードの場合（Ｓ１２０１：ＹＥＳ）、指紋検出部１７０は、指紋入力部１５５から出力されるセンシングデータを取得し（Ｓ１２０２）、センシングデータの変化に基づいて指紋入力部１５５のセンサに対する指の接触を検出する（Ｓ１２０３）。そして、指紋検出部１７０は、指の接触が検出された場合は（Ｓ１２０３：ＹＥＳ）、設定情報格納領域１８３に格納されている撮影方向を切り替える（Ｓ１２０４）。また、指の接触が検出されない場合は（Ｓ１２０３：ＮＯ）、指紋検出部１７０は、撮影方向を切り替えずに、指接触検出処理を終了する。
【００５０】
図１３は、カメラ撮影処理（Ｓ１１０５）の一例を示すフローチャートである。記録部１７５は、シャッターキー１９４の押下により撮影が指示されたかどうかを判定する（Ｓ１３０１）。押下されたキーがシャッターキー１９４でない場合は（Ｓ１３０１：ＮＯ）、記録部１７５は画像データの記録を行わずにカメラ撮影処理を終了する。シャッターキー１９４の押下による撮影の指示である場合は（Ｓ１３０１：ＹＥＳ）、記録部１７５は、カメラ部１５０から出力される画像データを取得する（Ｓ１３０２）。そして、記録部１７５は、設定情報格納領域１８３に格納されている撮影方向設定情報を参照し、横長撮影であるかどうかを判定し（Ｓ１３０３）、横長撮影である場合は（Ｓ１３０３：ＹＥＳ）、取得した画像データを例えば反時計回りに９０度回転させて横長画像とする（Ｓ１３０４）。
【００５１】
縦長画像の生成（Ｓ１３０２）または横長画像の生成（Ｓ１３０４）が行われた後、記録部７５は、設定情報格納領域１８３に格納された日付記録設定情報を参照し、撮影画像に日付情報を付与するかどうかを判定する（Ｓ１３０５）。日付情報を入れる場合（Ｓ１３０５：ＹＥＳ）、記録部１７５は、縦長画像または横長画像の所定位置（例えば右下隅）に日付情報を入れ（Ｓ１３０６）、日付情報が入った画像データを撮影画像格納領域１８０に保存する（Ｓ１３０７）。また、日付情報を入れない場合（Ｓ１３０５：ＮＯ）、記録部１７５は、日付情報を入れずに、縦長または横長の画像データを撮影画像格納領域１８０に保存する（Ｓ１３０７）。
【００５２】
以上、第２実施形態である携帯情報端末１１０について説明した。前述したように、携帯情報端末１１０では、ポインティングデバイスとして機能する指紋入力部１５５が、カメラ撮影時に操作可能な位置に配設されており、指紋入力部１５５の操作結果に基づいた方向に画像データを回転させて撮影画像格納領域１８０に格納することができる。したがって、撮影画像の方向を制御するために専用のキーを設けることなく、ポインティングデバイスによる簡便な操作により、撮影画像の方向を決定することが可能となる。
【００５３】
そして、指紋入力部１５５の操作結果に基づいた撮影画像の方向制御は、指紋入力部１５５に対する指の接触回数に基づいて行うことができる。すなわち、携帯情報端末１１０では、撮影画像の方向が指紋入力部１５５に指を接触させる度に切り替えられるため、利用者の感覚的にもわかりやすいものとなる。
【００５４】
また、携帯情報端末１１０では、ポインティングデバイスとして機能する指紋入力部１５５に、スウィープ型指紋認証デバイスを用いている。スウィープ型指紋認証デバイスは、認証機能を実現とするとともに非常に小型である。携帯情報端末１１０では、このようなスウィープ型指紋認証デバイスの操作結果に基づいて撮影画像の方向を制御可能とすることにより、撮影画像の方向制御を行うための専用キーを設けることなく、撮影画像の方向を簡便に決定可能としている。
【００５５】
また、携帯情報端末１１０では、指紋入力部１５５の操作結果に基づいた方向に画像データを回転させた後に、所定位置に日付情報を付与している。そのため、撮影画像の方向に応じた適切な位置に日付が表示されることとなる。
【００５６】
また、携帯情報端末１１０における、撮影画像の方向を制御する機能は、プログラムを実行することにより実現することができる。したがって、プログラムを実行可能な様々な携帯情報端末において、本実施形態に示した携帯情報端末１１０と同様の効果を得ることができる。
【００５７】
なお、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５８】
例えば、第１及び第２実施形態ではポインティングデバイスとしてスウィープ型指紋認証デバイスを用いることとしたが、ポインティングデバイスはこれに限られるものではない。例えば、ポインティングデバイスとしても機能するタッチ型の指紋認証デバイスを用いることもできる。そして、タッチ型の指紋認証デバイスを用いる場合であれば、例えば、タッチ型の指紋認証デバイスに対する指の接触方向に基づいて撮影方向を決定することとしてもよい。この場合においても、専用のキーを設けることなく画像方向を簡便に設定することができる。また、例えば、タッチパッドやトラックボール、カーソルキー等のポインティングデバイスを用いることもできる。また、ＬＣＤ等の表面に設けられたタッチパネル等のポインティングデバイスを用いることも可能である。
【図面の簡単な説明】
【００５９】
【図１】第１実施形態である携帯電話装置の構成例を示すブロック図である。
【図２】携帯電話装置の外観を示す図である。
【図３】設定情報格納領域に格納される情報の一例を示す図である。
【図４】携帯電話装置における撮影処理の一例を示すフローチャートである。
【図５】指紋検出処理の一例を示すフローチャートである。
【図６】オープンスタイル撮影処理の一例を示すフローチャートである。
【図７】ビュースタイル撮影処理の一例を示すフローチャートである。
【図８】撮影画像の一例を示す図である。
【図９】第２実施形態である携帯情報端末の構成例を示すブロック図である。
【図１０】携帯情報端末の外観を示す図である。
【図１１】携帯情報端末における撮影処理の一例を示すフローチャートである。
【図１２】指接触検出処理の一例を示すフローチャートである。
【図１３】カメラ撮影処理の一例を示すフローチャートである。
【符号の説明】
【００６０】
１０  携帯電話装置
２０，１２０  制御部
２５，１２５  記憶部
３０  無線通信部
３１  アンテナ
３５，１３５  操作部
４０，１４０  表示部
４５  音声処理部
４６  マイク
４７  スピーカ
５０，１５０  カメラ部
５５，１５５  指紋入力部
６０  スタイル検出部
７０，１７０  指紋検出部
７５，１７５  記録部
８０，１８０  撮影画像格納領域
８１，１８１  照合指紋情報格納領域
８２，１８２  入力指紋情報格納領域
８３，１８３  設定情報格納領域
８４，１８４  プログラム格納領域
８５，１８５  一時記憶格納領域
９０  表示部筐体
９１  操作部筐体
９２  回転型二軸ヒンジ
９３，１９３  撮影レンズ
９４，１９４  シャッターキー
９５  ダイヤルキー
９６  決定キー
１１０  携帯情報端末
【図１】
2008060929.tif 000003
【図２】
2008060929.tif 000004
【図３】
2008060929.tif 000005
【図４】
2008060929.tif 000006
【図５】
2008060929.tif 000007
【図６】
2008060929.tif 000008
【図７】
2008060929.tif 000009
【図８】
2008060929.tif 000010
【図９】
2008060929.tif 000011
【図１０】
2008060929.tif 000012
【図１１】
2008060929.tif 000013
【図１２】
2008060929.tif 000014
【図１３】
2008060929.tif 000015